(57)【要約】【課題】封止ガラスに力が加わったときに吸湿剤が積層体に接触する虞が少ない有機ＥＬパネルを提供する。【解決手段】有機ＥＬパネル９は、基板１０と、基板１０に積層形成された第一電極１３と発光層１５ａと第二電極１６とを有する積層体１１と、接着剤Ｇを介して基板１０上に配設され発光層１５ａを気密的に覆う封止部材１２と、封止部材１２に配設された吸湿剤Ｋとを有する。封止部材１２に応力が加わったときに吸湿剤Ｋが積層体１１に接触することを防ぐための補強部１２ｃを封止部材１２に設ける。【選択図】  図１
2004296288.tif 000002
【特許請求の範囲】
【請求項１】
基板と、前記基板に積層形成された少なくとも第一電極と発光層と第二電極とを有する積層体と、接着剤を介して前記基板上に配設され少なくとも前記発光層を気密的に覆う封止部材と、を有する有機ＥＬパネルであって、前記封止部材に補強部を設けたことを特徴とする有機ＥＬパネル。
【請求項２】
基板と、前記基板に積層形成された少なくとも第一電極と発光層と第二電極とを有する積層体と、接着剤を介して前記基板上に配設され少なくとも前記発光層を気密的に覆う封止部材と、前記封止部材に配設された吸湿剤と、を有する有機ＥＬパネルであって、
前記封止部材に応力が加わったときに前記吸湿剤が前記積層体に接触することを防ぐための補強部を前記封止部材に設けたことを特徴とする有機ＥＬパネル。
【請求項３】
前記封止部材の前記補強部は、前記封止部材の内側に設けられた梁部であることを特徴とする請求項１または請求項２に記載の有機ＥＬパネル。
【発明の詳細な説明】
【０００１】
【発明の属する技術分野】
本発明は、有機ＥＬパネルに関するものであり、特に、基板に積層形成された少なくとも第一電極と発光層と第二電極とを有する積層体を保護する封止部材を基板に接着した有機ＥＬパネルに関するものである。
【０００２】
【従来の技術】
従来より、有機ＥＬパネルが種々提案されており、例えば特許文献１に開示されている。有機ＥＬパネル１は、ガラス基板２上に積層体３を形成したものであり、この積層体３は、第一電極４，絶縁層５，有機層６，第二電極７を有する（図８参照）。第一電極４は、酸化インジウム（Ｉｎ２Ｏ３）と酸化スズ（ＳｎＯ２）の混合物であるＩＴＯ（Ｉｎｄｉｕｍ  Ｔｉｎ  Ｏｘｉｄｅ）からなるものであり、第二電極７は、アルミニウム（Ａｌ）からなるものである。有機層６は正孔注入層，正孔輸送層，発光層及び電子輸送層からなるものであり、第一電極４と第二電極７に挟持されている。
【０００３】
【特許文献１】
特開２００１−２６７０６６号公報
【０００４】
第一電極４は、陰極リード部４ａ，陽極部４ｂ及び陽極リード部４ｃを有している。第二電極７は、陰極リード部４ａに部分的に重なるように形成されており、陰極リード部４ａと電気的に導通している。有機ＥＬパネル１は、陽極リード部４ｃ及び陰極リード部４ａに電源を接続することにより発光部Ｐが光輝する。
封止ガラス８は、接着面８ａに塗布された接着剤Ｇによってガラス基板２に接着され、有機層６を覆う気密空間を形成する。有機層６は封止ガラス８によって覆われており、湿気の浸入が防止されている。封止ガラス８には凹部８ｂが形成されており、この凹部８ｂにはクリーム状の吸湿剤Ｋが配設され、気密空間内の湿気が吸収される。
【０００５】
【発明が解決しようとする課題】
有機ＥＬパネル１は、ＦＰＤ（Ｆｌａｔ  Ｐａｎｅｌ  Ｄｉｓｐｌａｙ）として注目されており、近年、更なる薄型化が求められている。しかしながら、ガラス基板２または封止ガラス８を薄くすると、有機ＥＬパネル１の十分な強度を得ることが困難であり、過度の応力が加わった時には有機ＥＬパネル１が破損する虞があった。本発明の第一の目的は、封止ガラスの強度を向上させることによって薄型化が可能な有機ＥＬパネルを提供することである。
【０００６】
また、有機ＥＬパネル１の後面（即ち、封止ガラス８）に、厚さ方向の力Ｆが加わった時に封止ガラス８が撓み、吸湿剤Ｋが積層体３に接触して有機層３が劣化し、部分的に発光輝度が低くなったり、発光寿命が短くなったりする虞があった。本発明の第二の目的は、封止ガラスに力が加わったときに吸湿剤が積層体に接触する虞が少ない有機ＥＬパネルを提供することである。
【０００７】
【課題を解決するための手段】
本発明は、前記課題を解決するため、請求項１に記載したように、基板１０と、前記基板１０に積層形成された少なくとも第一電極１３と発光層１５ａと第二電極１６とを有する積層体１１と、接着剤Ｇを介して前記基板１０上に配設され少なくとも前記発光層１５ａを気密的に覆う封止部材１２，２２，３２と、を有する有機ＥＬパネルであって、前記封止部材１２，２２，３２に補強部１２ｃ，２２ｃ，３２ｃを設けたものである。
【０００８】
また、本発明は、請求項２に記載したように、基板１０と、前記基板１０に積層形成された少なくとも第一電極１３と発光層１５ａと第二電極１６とを有する積層体１１と、接着剤Ｇを介して前記基板１０上に配設され少なくとも前記発光層１５ａを気密的に覆う封止部材１２，２２，３２と、前記封止部材１２，２２，３２に配設された吸湿剤Ｋと、を有する有機ＥＬパネルであって、前記封止部材１２，２２，３２に応力が加わったときに前記吸湿剤Ｋが前記積層体１１に接触することを防ぐための補強部１２ｃ，２２ｃ，３２ｃを前記封止部材１２，２２，３２に設けたものである。
【０００９】
また、本発明は、請求項３に記載したように、前記封止部材１２，２２，３２の前記補強部１２ｃ，２２ｃ，３２ｃは、前記封止部材１２，２２，３２の内側に設けられた梁部であるものである。
【００１０】
【発明の実施の形態】
以下、添付した図面に基づいて、本発明の一実施形態を説明する。図１乃至図５は第一実施形態を示す図である。
有機ＥＬパネル９は、ガラス基板１０（基板），積層体１１，封止ガラス１２（封止部材）を有している。積層体１１は、ＩＴＯからなる第一電極１３，ポリイミド系のレジスト材料からなる絶縁層１４，有機層１５，アルミニウム等の金属からなる第二電極１６からなるものであり、ガラス基板１０の後面に積層形成されている。有機層１５は少なくとも発光層１５ａを有するものであるが、有機層１５に正孔注入層１５ｂ，正孔輸送層１５ｃ及び電子輸送層１５ｄを設けても良い（図３参照）。
【００１１】
図４に示すように、第一電極１３は、表示セグメント部１８と、表示セグメント部１８に連なる陽極リード部１９と、第二電極１６に電気的に導通する陰極リード部２０とを有している。表示セグメント部１８は日字形に配設されており、この表示セグメント部１８に各々陽極リード部１９が連設されている。陽極リード部１９はガラス基板１０の一辺側に引き回されている。
【００１２】
絶縁層１４は、発光部Ｐに対応する箇所を除いて、ガラス基板１０の略全範囲に設けられている。Ｇは紫外線硬化型の接着剤であり、この接着剤Ｇによりガラス基板１０の後面と封止ガラス１２の接着面１２ａとが接着される。封止ガラス１２は、成型法等の方法によって形成されたものであり、有機層１５を覆う気密空間を形成する凹部１２ｂが設けられている。この凹部１２ｂの中央箇所１２ｄには、クリーム状の吸湿剤Ｋが直線状に塗布されている。封止ガラス１２は、凹部１２ｂの周縁に設けられた枠状の梁部１２ｃを有しており、従来よりも強度が向上している。
【００１３】
第一実施形態によれば、封止ガラス１２に梁部１２ｃを設けることによって封止ガラス１２の強度が向上し、封止ガラス１２に応力が加わっても破損する虞が少ない。また、従来と同程度の強度であれば、封止ガラス１２を肉薄にすることができ、有機ＥＬパネル９を薄型化することが可能である。また、封止ガラス１２に、厚さ方向の力が加わったときでも、封止ガラス１２の撓みが少なく、吸湿剤Ｋが積層体１１に接触する虞が小さい。
【００１４】
なお、第一実施形態は、凹部１２ｂの周縁に梁部１２ｃを設けたものであったが、図６に示す第二実施形態のように、封止ガラス２２の中央部に梁部２２ｃを設けて、この梁部２２ｃの両側に吸湿剤Ｋを塗布しても良く、第一実施形態と同様な効果を得ることができる。また、図７に示す第三実施形態のように、封止ガラス３２の外側面に梁部３２ｃを設けても良く、封止ガラス３２の強度が従来よりも向上するが、有機ＥＬパネルを薄型化するためには、第一，第二実施形態のように封止ガラス１２，２２の内側に梁部１２ｃ，２２ｃを設けることが望ましい。
【００１５】
【発明の効果】
本発明は、基板と、前記基板に積層形成された少なくとも第一電極と発光層と第二電極とを有する積層体と、接着剤を介して前記基板上に配設され少なくとも前記発光層を気密的に覆う封止部材と、を有する有機ＥＬパネルであって、前記封止部材に補強部を設けたものであり、封止部材の強度が向上し、薄型化が可能になる。
【００１６】
また、本発明は、基板と、前記基板に積層形成された少なくとも第一電極と発光層と第二電極とを有する積層体と、接着剤を介して前記基板上に配設され少なくとも前記発光層を気密的に覆う封止部材と、前記封止部材に配設された吸湿剤と、を有する有機ＥＬパネルであって、前記封止部材に応力が加わったときに前記吸湿剤が前記積層体に接触することを防ぐための補強部を前記封止部材に設けたものであり、封止部材に力が加わったときに吸湿剤が積層体に接触する虞が少ない。
【図面の簡単な説明】
【図１】本発明の第一実施形態を示す断面図。
【図２】同上実施形態を示す正面図。
【図３】同上実施形態を示す有機層の拡大断面図。
【図４】同上実施形態を示す分解斜視図。
【図５】同上実施形態を示す封止ガラスの斜視図。
【図６】本発明の第二実施形態を示す断面図。
【図７】本発明の第三実施形態を示す断面図。
【図８】従来例を示す断面図。
【符号の説明】
９    有機ＥＬパネル
１０    ガラス基板（基板）
１１    積層体
１２    封止ガラス（封止部材）
１２ｃ  梁部（補強部）
１３    第一電極
１５    有機層
１５ａ  発光層
１６    第二電極
２２    封止ガラス（封止部材）
２２ｃ  梁部（補強部）
３２    封止ガラス（封止部材）
３２ｃ  梁部（補強部）
【図１】
2004296288.tif 000003
【図２】
2004296288.tif 000004
【図３】
2004296288.tif 000005
【図４】
2004296288.tif 000006
【図５】
2004296288.tif 000007
【図６】
2004296288.tif 000008
【図７】
2004296288.tif 000009
【図８】
2004296288.tif 000010